(57)【要約】【課題】  細隙部の成形後、刃物を筒部内に再挿入することが難しい、という問題を解決可能な雌型端子の一例を開示する。【解決手段】  雌型端子１の筒部２には、挿入口２Ｃ側から奥側に延びるスリット状の細隙部２Ａが少なくとも１つ設けられ、挿入口２Ｃには、閉曲線を描くように繋がった環状冠部２Ｂが設けられている。これにより、雌型端子１では、挿入口２Ｃ側端部が繋がった構成となるので、当該雌型端子１を製造する者は、例えば、複数の細隙部２Ａの成形後に、バリを除去するための刃物（ドリルやリーマ等）を筒部２内に容易に再挿入することができ得る。【選択図】  図１
2020170676.tif 000002
【特許請求の範囲】
【請求項１】
棒状の雄型端子が挿抜可能に挿入される筒状の筒部を備える雌型端子において、
前記筒部には、当該筒部の挿入口側から奥側に延びるスリット状の細隙部が少なくとも１つ設けられ、
さらに、前記挿入口には、閉曲線を描くように繋がった環状冠部が設けられている雌型端子。
【請求項２】
前記環状冠部と前記筒部とは、一体品である請求項１に記載の雌型端子。
【請求項３】
前記筒部のうち前記環状冠部から前記奥側に予め決められた寸法だけずれた範囲を導入テーパ部としたとき、
前記導入テーパ部の内径寸法は、前記奥側に向かうほど小さくなっている請求項１又は２に記載の雌型端子。
【請求項４】
前記筒部のうち前記導入テーパ部から前記奥側に予め決められた寸法だけずれた範囲を保持部としたとき、
前記保持部の内径寸法は、略一定である請求項３に記載の雌型端子。
【請求項５】
前記筒部のうち前記保持部より前記奥側の内径寸法は、前記奥側に向かうほど大きくなっている請求項４に記載の雌型端子。
【請求項６】
棒状の雄型端子が挿抜可能に挿入される筒状の筒部を備える雌型端子の製造方法において、
前記筒部の挿入口から予め決められた寸法だけ奥側にずれ位置から当該奥側に延びる細隙を切削加工にて形成することにより、スリット状の細隙部及び環状冠部を形成し、
前記細隙部を形成した後、前記筒部の内周面に発生したバリを除去する
雌型端子の製造方法。
【請求項７】
バリを除去した後、前記筒部を外周側から押圧することにより、前記筒部のうち前記環状冠部から前記奥側に予め決められた寸法だけずれた範囲に導入テーパ部を形成する請求項６に記載の雌型端子の製造方法。
【発明の詳細な説明】
【技術分野】
【０００１】
本開示は、棒状の雄型端子が挿抜可能に挿入される雌型端子に関する。
【背景技術】
【０００２】
例えば、特許文献１に記載の雌型端子は、雄型端子が挿抜可能に挿入される筒状の筒部を有する。当該筒部には、挿入口側の端部から奥側に延びるスリット状の細隙部が設けられている。
【先行技術文献】
【特許文献】
【０００３】
【特許文献１】特許第５５８５８０９号公報
【発明の概要】
【発明が解決しようとする課題】
【０００４】
細隙部は、通常、フライス加工等の切削加工にて形成される。このため、細隙部の形成時に筒部の内周面にバリが発生してしまう。バリを除去するための作業は、通常、ドリルやリーマ等の刃物を筒部内に挿入することにより行われる。
【０００５】
しかし、特許文献１に記載の雌型端子では、挿入口側端部が細隙部により複数の部位に分断されているので、それら複数の部位が中心（芯）に対してずれしまう。このため、細隙部の成形後、刃物を筒部内に再挿入することが難しい、という問題が発生する。
【０００６】
本開示は、例えば、上記問題を解決可能な雌型端子の一例を開示する。
【課題を解決するための手段】
【０００７】
棒状の雄型端子が挿抜可能に挿入される筒状の筒部（２）を備える雌型端子は、例えば、以下の構成要件のうち少なくとも１つを備えることが望ましい。
すなわち、当該構成要件は、筒部（２）には、当該筒部（２）の挿入口（２Ｃ）側から奥側に延びるスリット状の細隙部（２Ａ）が少なくとも１つ設けられ、挿入口（２Ｃ）には、閉曲線を描くように繋がった環状冠部（２Ｂ）が設けられていることが望ましい。
【０００８】
これにより、上記雌型端子では、挿入口側端部が繋がった構成となるので、当該雌型端子を製造する者は、例えば、細隙部（２Ａ）の成形後に、刃物を筒部（２）内に容易に再挿入することができ得る。
【０００９】
また、挿入口（２Ｃ）には、閉曲線を描くように繋がった環状冠部（２Ｂ）が設けられているので、筒部（２）の機械的強度（変形強度）を向上させることが可能となり得る。
すなわち、筒部（２）は、環状冠部（２Ｂ）と奥側とで拘束された構成となる。このため、筒部（２）は、言わば、両端固定構造又は両端支持構造となる。したがって、筒部（２）の機械的強度（変形強度）を向上させることが可能となり得る。
【００１０】
因みに、上記各括弧内の符号は、後述する実施形態に記載の具体的構成等との対応関係を示す一例であり、本開示は上記括弧内の符号に示された具体的構成等に限定されるものではない。
【図面の簡単な説明】
【００１１】
【図１】第１実施形態に係る雌型端子を示す図である。
【図２】第１実施形態に係る雌型端子を示す図である。
【図３】第１実施形態に係る雌型端子を示す図である。
【図４】第１実施形態に係る雌型端子において、保持部及び導入テーパ部が成形される前を示す図である。
【発明を実施するための形態】
【００１２】
以下の「発明の実施形態」は、本開示の技術的範囲に属する実施形態の一例を示すものである。つまり、特許請求の範囲に記載された発明特定事項等は、下記の実施形態に示された具体的構成や構造等に限定されるものではない。
【００１３】
なお、各図に付された方向を示す矢印及び斜線等は、各図相互の関係及び各部材又は部位の形状を理解し易くするために記載されたものである。したがって、本開示に示された発明は、各図に付された方向に限定されるものではない。
【００１４】
少なくとも符号が付されて説明された部材又は部位は、「１つの」等の断りがされた場合を除き、少なくとも１つ設けられている。つまり、「１つの」等の断りがない場合には、当該部材は２以上設けられていてもよい。本開示に示された雌型端子は、少なくとも符号が付されて説明された部材又は部位等の構成要素を備える。
【００１５】
（第１実施形態）
１．雌型端子の概要
図１に示された雌型端子１は、本実施形態に係る雌型端子である。本実施形態は、電気自動車の充電用端子に本開示に係る雌型端子の一例が適用されたものである。雌型端子１は、筒部２及びハーネス固定部３等を少なくとも備える。
【００１６】
筒部２は、棒状の雄型端子１０が挿抜可能に挿入される筒状の部位である。ハーネス固定部３は、ワイヤーハーネス（電気線）１１が固定される部位である。本実施形態では、筒部２とハーネス固定部３とは、銅や真鍮等の電気特性に優れた金属製の一体保品である。
【００１７】
なお、ハーネス固定部３は、図２に示されるように、凹部３Ａが設けられた筒状の部位である。凹部３Ａにはワイヤーハーネス１１が挿入される。ハーネス固定部３にカシメ加工が施されることにより、ワイヤーハーネス１１が雌型端子１に固定される。
【００１８】
上記の「カシメ加工」は、例えば、凹部３Ａの内周面とワイヤーハーネス１１との接触面圧を高めるべく、凹部３Ａを狭めるようにハーネス固定部３を変形させる塑性加工の一種である。
【００１９】
２．筒部の詳細構造
筒部２には、図１に示されるように、少なくとも１つ（本実施形態では、複数）の細隙部２Ａ、及び少なくとも１つの環状冠部２Ｂが設けられている。複数（本実施形態では、４つ）の細隙部２Ａは、筒部２の挿入口２Ｃ側から奥側に延びるスリット状の貫通穴である。以下、筒部２のうち隣り合う細隙部２Ａ間の部位を短冊部２Ｄという。
【００２０】
環状冠部２Ｂは、挿入口２Ｃにおいて、閉曲線（本実施形態では、円）を描くように繋がった環状の部位である。つまり、複数の短冊部２Ｄの延び方向一端（挿入口２Ｃ）側は、環状冠部２Ｂにより繋がっている。複数の短冊部２Ｄの延び方向他端（ハーネス固定部３）側は、筒部２の他端を閉塞する閉塞部２Ｇ（図２参照）により繋がっている。
【００２１】
本実施形態に係る各細隙部２Ａは、筒部２にフライス加工等の切削加工が施されて形成されている。このため、本実施形態に係る環状冠部２Ｂと筒部２とは、一体品である。図３に示されるように、挿入口２Ｃ側には、導入テーパ部２Ｅが設けられている。
【００２２】
具体的には、導入テーパ部２Ｅは、筒部２のうち環状冠部２Ｂから奥側に予め決められた寸法だけずれた範囲である。導入テーパ部２Ｅの内径寸法Ｄ１は、奥側（紙面右側）に向かうほど小さくなっている。
【００２３】
筒部２のうち導入テーパ部２Ｅから奥側に予め決められた寸法だけずれた範囲には、保持部２Ｆが設けられている。保持部２Ｆの内径寸法Ｄ２は、略一定である。なお、筒部２のうち保持部２Ｆより奥側の内径寸法Ｄ３は、奥側に向かうほど大きくなっている。
【００２４】
３．雌型端子（特に、筒部）の製造方法の一例
以下の説明は、中実丸棒から雌型端子１が製造される場合の製造方法の一例である。
＜第１工程＞
第１工程では、中実丸棒製の素材にドリル加工が施されて、細隙部２Ａが設けられていない状態の筒部２が成形される（図４参照）。なお、細隙部２Ａが設けられていない状態の筒部２の成形は、圧造（鍛造）又はへら絞り加工等によっても成形可能である。
【００２５】
＜第２工程＞
第２工程では、スリット状の細隙部２Ａが（本実施形態では、４つ）成形される。すなわち、図４に示されるように、挿入口２Ｃから予め決められた寸法だけ奥側（紙面右側）にずれ位置から当該奥側に延びる細隙を切削加工にて形成する。これにより、第２工程では、複数の細隙部２Ａ及び環状冠部２Ｂが成形される。
【００２６】
なお、上記の切削加工は、複数の刃物を同時に稼働させて複数の細隙部２Ａを同時に成形する手法、又は筒部２に対して複数回の切削加工を施すことにより、複数の細隙部２Ａを成形する手法等のいずれであってもよい。
【００２７】
＜第３工程＞
第３工程は、複数の細隙部２Ａが成形された後に実行される工程である。当該第３工程では、複数の細隙部２Ａが成形される際に、筒部２の内周面に発生したバリが除去される。バリの除去は、例えば、ドリルやリーマ等の刃物が筒部２内に挿入されることにより実行される。
【００２８】
＜第４工程＞
第４工程は、バリが除去された後に実行される工程である。第４工程では、ローラ等の押圧治具１２（図４参照）にて筒部２が外周側から押圧される。当該押圧治具１２は、筒部２のうち環状冠部２Ｂから奥側（紙面右側）に予め決められた寸法だけずれた範囲を押圧する。
【００２９】
これにより、押圧された部位の内径寸法が縮小するため、導入テーパ部２Ｅが成形される。なお、押圧治具１２は、円筒状又は円柱状の部材であるので、当該押圧治具１２により押圧された部位が保持部２Ｆとなる。
【００３０】
４．本実施形態に係る雌型端子の特徴
雌型端子１の筒部２には、挿入口２Ｃ側から奥側に延びるスリット状の細隙部２Ａが少なくとも１つ設けられ、挿入口２Ｃには、閉曲線を描くように繋がった環状冠部２Ｂが設けられている（図１参照）。
【００３１】
これにより、雌型端子１では、挿入口２Ｃ側端部が繋がった構成となるので、当該雌型端子１を製造する者は、例えば、複数の細隙部２Ａの成形後に、バリを除去するための刃物（ドリルやリーマ等）を筒部２内に容易に再挿入することができ得る。
【００３２】
また、挿入口２Ｃには、閉曲線を描くように繋がった環状冠部２Ｂが設けられているので、筒部２の機械的強度（変形強度）を向上させることが可能となり得る。
すなわち、筒部２（各短冊部２Ｄ）は、環状冠部２Ｂと奥側とで拘束された構成となる。このため、筒部２（各短冊部２Ｄ）は、言わば、両端固定構造又は両端支持構造となる。したがって、筒部２の機械的強度（変形強度）を向上させることが可能となり得る。
【００３３】
環状冠部２Ｂと筒部２とは一体品である。これにより、筒部２（各短冊部２Ｄ）と環状冠部２Ｂとが強固に連結された構成となる。
挿入口２Ｃ側には、導入テーパ部２Ｅが設けられている。これにより、棒状の雄型端子１０が導入テーパ部２Ｅにより案内されながら挿入されるので、雄型端子１０の挿入性が向上する。
【００３４】
筒部２のうち導入テーパ部２Ｅから奥側に予め決められた寸法だけずれた範囲には、内径寸法Ｄ２が略一定となる保持部２Ｆが設けられている。これにより、雄型端子１０と雌型端子１との接触面積を大きくすることが可能となる。延いては、雄型端子１０と雌型端子１との電気抵抗が小さくなるとともに、雄型端子１０が雌型端子１に確実に保持され得る
（その他の実施形態）
上述の実施形態に係る雌型端子１は、中実材から切削加工により製造される構成であった。しかし、本開示はこれに限定されるものではない。すなわち、当該開示は、例えば、パイプ材から圧造等により製造される雌型端子１であってもよい。
【００３５】
上述の実施形態では、筒部２とハーネス固定部３とは一体品であった。しかし、本開示はこれに限定されるものではない。すなわち、当該開示は、例えば、筒部２が圧入や溶接等にてハーネス固定部３に一体化された構成であってもよい。
【００３６】
上述の実施形態では、環状冠部２Ｂと筒部２とは一体品であった。しかし、本開示はこれに限定されるものではない。すなわち、当該開示は、例えば、環状冠部２Ｂが筒部２と別部品として製造された後、当該筒部２に嵌め込まれて一体化された構成であってもよい。
【００３７】
上述の実施形態では、挿入口２Ｃ側に導入テーパ部２Ｅが設けられていた。しかし、本開示はこれに限定されるものではない。すなわち、当該開示は、例えば、導入テーパ部２Ｅが廃止された構成であってもよい。
【００３８】
上述の実施形態に係る保持部２Ｆは、筒部２の中心軸線方向において予め決められた範囲（長さ）を有する部位であった。しかし、本開示はこれに限定されるものではない。すなわち、当該開示は、例えば、当該範囲（長さ）が実質的に０となるような保持部２Ｆが設けられた構成、又は保持部２Ｆが設けられていない構成であってもよい。
【００３９】
上述の実施形態に係る雌型端子１は、電気自動車の充電用端子に適用されたものであった。しかし、本開示はこれに限定されるものではない。すなわち、当該開示は、その他の雌型端子にも適用可能である。
【００４０】
上述の実施形態に係る雌型端子１は、鍔状のフランジ等が設けられていない構成であった。しかし、本開示はこれに限定されるものではない。すなわち、当該開示は、鍔状のフランジ等が設けられた構成であってもよい。
【００４１】
なお、当該フランジは、筒部２又はハーネス固定部３との一体品構成、又は別部品として製造されたフランジが圧入等によって筒部２又はハーネス固定部３と一体化された構成等であってもよい。
【００４２】
上述の実施形態に係る雌型端子１は、ハーネス固定部３にワイヤーハーネス１１がカシメ固定される構成であった。しかし、本開示はこれに限定されるものではない。すなわち、当該開示は、例えば、ワイヤーハーネス１１やブスバー等がネジにてハーネス固定部３に固定される構成であってもよい。
【００４３】
さらに、本開示は、上述の実施形態に記載された開示の趣旨に合致するものであればよく、上述の実施形態に限定されるものではない。したがって、上述した複数の実施形態のうち少なくとも２つの実施形態が組み合わせられた構成、又は上述の実施形態において、図示された構成要件もしくは符号を付して説明された構成要件のうちいずれかが廃止された構成でもよい。
【符号の説明】
【００４４】
１… 雌型端子
２… 筒部
２Ａ… 細隙部
２Ｂ… 環状冠部
２Ｃ… 挿入口
２Ｄ… 短冊部
２Ｅ… 導入テーパ部
２Ｆ… 保持部
３… ハーネス固定部
３Ａ… 凹部
１０… 雄型端子
１１… ワイヤーハーネス
【図１】
2020170676.tif 000003
【図２】
2020170676.tif 000004
【図３】
2020170676.tif 000005
【図４】
2020170676.tif 000006